(57)【要約】【課題】簡易な構成で、低背化を図りつつ、相手コネクタの嵌合・抜去時におけるハウジング及びコンタクト部材の変形や破損のおそれを低減することを可能とする。【解決手段】コンタクト部材１２を多極状に配列したハウジング１１の外壁面の少なくとも一部を、金属製の板状部材からなるシェル部材１３により覆い、当該シェル部材１３を基板接続部１３ｂ２により回路基板Ｐ１に接続するととともに、そのシェル部材１３とともにハウジング１１を落し込み状態とするコネクタ収容穴Ｐ１ａを回路基板Ｐ１に設け、それらシェル部材１３及びハウジング１１をコネクタ収容穴Ｐ１ａの内部に落し込む分だけ電気コネクタ１０の回路基板Ｐ１からの高さを低減させ、基板接続用電気コネクタの低背化を行う構成としたものである。【選択図】図１２
2018073536.tif 000002
【特許請求の範囲】
【請求項１】
絶縁性部材からなるハウジングに、複数体のコンタクト部材が多極状に配列されたものであって、
回路基板の主面に実装された状態で相手コネクタが嵌合・抜去される構成になされた基板接続用電気コネクタにおいて、
前記ハウジングには、当該ハウジングの外壁面の少なくとも一部を覆う金属製の板状部材からなるシェル部材が装着され、
前記シェル部材は、基板接続部を有し、
前記基板接続部は、前記回路基板の主面から厚さ方向に形成されたコネクタ収容穴に前記ハウジングと共に前記シェル部材が落し込み状態で挿入された際に、前記回路基板の主面と対面し接続されることを特徴とする基板接続用電気コネクタ。
【請求項２】
前記シェル部材が、前記コンタクト部材の多極状の配列方向において一体的に連結された中央部シェル体と端部シェル体と、を備え、
前記中央部シェル体は、前記コンタクト部材が配置された部位に前記ハウジングの前記外壁面に密着した状態で配置されているとともに、
前記端部シェル体は、前記コンタクト部材の多極状の配列方向において前記中央部シェル体の外方に配置されていることを特徴とする請求項１記載の基板接続用電気コネクタ。
【請求項３】
前記端部シェル体は、前記ハウジングに対して固定状態になされたハウジング固定部と、当該ハウジング固定部から一体的に延出して前記回路基板の主面に対面する前記基板接続部と、を有していることを特徴とする請求項２記載の基板接続用電気コネクタ。
【請求項４】
前記端部シェル体の前記基板接続部は、前記コンタクト部材の多極状の配列方向に対向して一対設けられているとともに、前記コンタクト部材の多極状の配列方向と直交する方向に対向して二対設けられていることを特徴とする請求項３記載の基板接続用電気コネクタ。
【請求項５】
前記コンタクト部材の一部が、前記ハウジングの内壁面に取り付けられたものであって、
前記シェル部材を構成している前記中央部シェル体は、前記ハウジングの内壁面に対向する前記外壁面に配置されていることを特徴とする請求項３記載の基板接続用電気コネクタ。
【発明の詳細な説明】
【技術分野】
【０００１】
本発明は、回路基板に実装された状態で互いに嵌合される基板接続用電気コネクタに関する。
【背景技術】
【０００２】
一般に、種々の電気機器において、スタッキングコネクタなどと呼ばれる基板接続用電気コネクタ装置が広く採用されている。基板接続用電気コネクタ装置は、第１の回路基板上に実装された第１の電気コネクタ（例えばリセプタクルコネクタ）に、第２の回路基板が連結された相手コネクタ（例えばプラグコネクタ）を対向するように配置し、その対向配置状態から相手コネクタが、第１の電気コネクタに向かって移動するようにして押し込まれ、それによって両コネクタ同士が嵌合状態になされることで、第１及び第２の回路基板同士が電気的に接続されるようになっている。
【０００３】
このように基板同士を接続する基板接続用電気コネクタ装置では、一対の回路基板と、それらの各回路基板上に実装された一対の電気コネクタとが、層状に積み重なるようにして嵌合状態になされることから、嵌合後における一対の回路基板と一対のコネクタとを含む全体の高さが増大する傾向となっている。特に近年における電気機器の小型化・薄型化に伴って、基板接続用電気コネクタの低背化が要請されているが、基板接続用電気コネクタの低背化を行うにあたっては、ハウジングの薄肉化が行われることが多いことなどから、ハウジングの強度が低下する傾向がある。そのため、相手コネクタを嵌合又は抜去する際に、ハウジングに変形や破損を生じたり、そのハウジングに保持されているコンタクト部材に変形や破損を招来するおそれがある。
【先行技術文献】
【特許文献】
【０００４】
【特許文献１】特開２０１０−９７７２７号公報
【発明の開示】
【発明が解決しようとする課題】
【０００５】
そこで本発明は、簡易な構成で、低背化を図りつつ、相手コネクタの嵌合・抜去時における変形や破損のおそれを低減することができるようにした基板接続用電気コネクタを提供することを目的とする。
【課題を解決するための手段】
【０００６】
上記目的を達成するため請求項１にかかる発明では、絶縁性部材からなるハウジングに、複数体のコンタクト部材が多極状に配列されたものであって、回路基板の主面に実装された状態で相手コネクタが嵌合・抜去される構成になされた基板接続用電気コネクタにおいて、前記ハウジングには、当該ハウジングの外壁面の少なくとも一部を覆う金属製の板状部材からなるシェル部材が装着され、前記シェル部材は、基板接続部を有し、前記基板接続部は、前記回路基板の主面から厚さ方向に形成されたコネクタ収容穴に前記ハウジングと共に前記シェル部材が落し込み状態で挿入された際に、前記回路基板の主面と対面し接続される構成が採用されている。
【０００７】
このような構成を備えた発明によれば、回路基板に対して基板接続用電気コネクタを実装する際に、回路基板に設けられたコネクタ収容穴の内方側に、シェル部材とともにハウジングが落し込み状態で挿入され、そのシェル部材及びハウジングの落し込み量に相当する分だけ、電気コネクタの回路基板からの高さが低減されることとなり、回路基板と基板接続用電気コネクタとを含む全体の低背化が行われる。加えて、ハウジングに装着された金属製のシェル部材の補強機能によって、ハウジングの剛性が強化されることとなり、相手コネクタが嵌合・抜去される際におけるハウジングの変形や破損が低減されるとともに、そのハウジングに保持されているコンタクト部材の変形や破損も低減される。
【０００８】
このとき、本発明においては、前記シェル部材が、前記コンタクト部材の多極状の配列方向において一体的に連結された中央部シェル体と端部シェル体とを備え、前記中央部シェル体は、前記コンタクト部材が配置された部位に前記ハウジングの前記外壁面に密着した状態で配置されているとともに、前記端部シェル体は、前記コンタクト部材の多極状の配列方向において前記中央部シェル体の外方に配置されている構成とすることが可能である。
【０００９】
また、本発明における前記端部シェル体は、前記ハウジングに対して固定状態になされたハウジング固定部と、当該ハウジング固定部から一体的に延出して前記回路基板の主面に対面する前記基板接続部とを有する構成とすることが可能である。
【００１０】
さらに、本発明における前記端部シェル体の前記基板接続部は、前記コンタクト部材の多極状の配列方向に対向して一対設けられているとともに、前記コンタクト部材の多極状の配列方向と直交する方向に対向して二対設けられていることが望ましい。
【００１１】
このような構成を備えた発明によれば、シェル部材が、基板接続部により固定状態になされることから、シェル部材の剛性が高められる。
【００１２】
さらにまた、本発明においては、前記コンタクト部材の一部が、前記ハウジングの内壁面に取り付けられたものであって、前記シェル部材を構成している前記中央部シェル体は、前記ハウジングの内壁面に対向する前記外壁面に配置されていることが望ましい。
【００１３】
このような構成を備えた発明によれば、コンタクト部材の一部が取り付けられているハウジングの内壁面が中央部シェル体によって補強されることから、コンタクト部材の支持性が高められ、相手コネクタが嵌合・抜去される際におけるコンタクト部材の変形や破損が低減される。
【発明の効果】
【００１４】
以上述べたように本発明にかかる基板接続用電気コネクタは、複数体のコンタクト部材を多極状に配列したハウジングの外壁面の少なくとも一部を、金属製の板状部材からなるシェル部材により覆い、当該シェル部材を基板接続部により回路基板に接続するととともに、そのシェル部材とともにハウジングを落し込み状態とするコネクタ収容穴を回路基板に貫通させるようにして設け、それらシェル部材及びハウジングをコネクタ収容穴の内部に落し込む分だけ電気コネクタの回路基板からの高さを低減させて基板接続用電気コネクタの低背化を行う構成としたものであるから、簡易な構成で、回路基板と基板接続用電気コネクタとを含む全体の低背化を図りつつ、相手コネクタの嵌合・抜去時におけるハウジング及びコンタクト部材の変形や破損のおそれを低減することができる。
【図面の簡単な説明】
【００１５】
【図１】本発明の一実施形態にかかる電気コネクタ（リセプタクルコネクタ）に、相手コネクタ（プラグコネクタ）が嵌合された状態の基板接続用電気コネクタ装置を斜め上方から表した外観斜視説明図である。
【図２】図１に示された基板接続用電気コネクタ装置を上方側から表した平面説明図である。
【図３】図１及び図２に示された基板接続用電気コネクタ装置の正面説明図である。
【図４】図１〜図３に示された基板接続用電気コネクタ装置の側面説明図である。
【図５】図１〜図４に示された基板接続用電気コネクタ装置の底面説明図である。
【図６】図３中のVI−VI線に沿った拡大横断面説明図である。
【図７】本発明の一実施形態にかかる電気コネクタ（リセプタクルコネクタ）の単体を上方側（実装側）から表した外観斜視説明図である。
【図８】図７に示された電気コネクタ（リセプタクルコネクタ）の正面説明図である。
【図９】図７及び図８に示された電気コネクタ（リセプタクルコネクタ）の側面説明図である。
【図１０】図７〜図９に示された電気コネクタ（リセプタクルコネクタ）の底面説明図である。
【図１１】図７〜図１０に示された電気コネクタ（リセプタクルコネクタ）の分解斜視説明図である。
【図１２】図７〜図１０に示された電気コネクタ（リセプタクルコネクタ）を回路基板に実装する直前の状態を斜め上方（実装側）から表した外観斜視説明図である。
【図１３】図７〜図１０に示された電気コネクタ（リセプタクルコネクタ）を回路基板に実装した後の状態を上方側（実装側）から表した外観斜視説明図である。
【図１４】図７〜図１０に示された電気コネクタ（リセプタクルコネクタ）を回路基板に実装した後の状態の上方側（実装側）から表した平面説明図である。
【図１５】相手コネクタ（プラグコネクタ）の単体を上方側（実装側）から表した外観斜視説明図である。
【図１６】図１５に示された相手コネクタ（プラグコネクタ）を上方側（実装側）から表した平面説明図である。
【図１７】図１５及び図１６に示された相手コネクタ（プラグコネクタ）の正面説明図である。
【図１８】図１５〜図１７に示された相手コネクタ（プラグコネクタ）の側面説明図である。
【図１９】図１５〜図１８に示された相手コネクタ（プラグコネクタ）を回路基板に実装した状態を斜め上方側（実装側）から表した外観斜視説明図である。
【図２０】図１５〜図１８に示された相手コネクタ（プラグコネクタ）を回路基板に実装した後の状態の平面説明図である。
【発明を実施するための形態】
【００１６】
以下、本発明をリセプタクルコネクタに適用した実施形態について図面に基づき詳細に説明する。
【００１７】
［電気コネクタ装置の全体構造について］
図１〜図６に示された本発明の一実施形態にかかる基板接続用電気コネクタ装置は、例えば、携帯電話、スマートフォン、或いはタブレット型コンピュータ等の各種電子機器内に配置された回路基板同士を電気的に接続するように用いられるものであって、図７〜図１４に示された本発明にかかる基板接続用電気コネクタとしてのリセプタクルコネクタ１０と、図１５〜図２０に示された相手コネクタとしてのプラグコネクタ２０と、から構成された垂直嵌合型の基板接続用電気コネクタ装置である。
【００１８】
このときのリセプタクルコネクタ１０は、図１２〜図１４に示されているようにリセ側回路基板Ｐ１に実装されるとともに、プラグコネクタ（相手コネクタ）２０は、図１９及び図２０に示されているようにプラグ側回路基板Ｐ２に実装され、そのように各回路基板Ｐ１，Ｐ２上に実装された状態で対向配置されたリセプタクルコネクタ１０とプラグコネクタ２０とが互いに嵌合されることで、リセ側回路基板Ｐ１とプラグ側回路基板Ｐ２との電気的な接続が行われる。
【００１９】
以下においては、上述したリセ側回路基板Ｐ１及びプラグ側回路基板Ｐ２が「水平方向」に延在しているものとして、リセプタクルコネクタ１０とプラグコネクタ（相手コネクタ）２０との嵌合方向を「上下方向」とし、その上下方向における下方位置に配置されたリセプタクルコネクタ１０の上方位置に、上下を反転したプラグコネクタ２０が対向した状態に配置され、そのような対向配置状態からプラグコネクタ２０が下方向に押し込まれることで、図１〜図６に示されているように両電気コネクタ１０，２０同士の嵌合が行われるものとしての説明を行う。
【００２０】
なお、上述した嵌合状態からプラグコネクタ２０が上方に向かって適宜の力で引き上げられることで、下方側のリセプタクルコネクタ１０からプラグコネクタ２０が上方に抜去される構成になされている。また、リセプタクルコネクタ１０にプラグコネクタ（相手コネクタ）２０を嵌合・抜去する操作は、作業者の手で行われることに限られることはなく、所定の治具や機械によって自動的に行うようにしても良い。
【００２１】
ここで、上述したように両電気コネクタ１０，２０同士の嵌合・抜去を行うにあたっては、下方側に配置されたリセプタクルコネクタ１０に対して、上方側に配置されたプラグコネクタ（相手コネクタ）２０は、上下が反転された状態で対向配置されることとなるが、プラグコネクタ２０の単体を説明するにあたっては、反転して配置する前の状態、すなわち下方位置に配置されたプラグ側回路基板Ｐ２に対して、上方側からプラグコネクタ２０を実装した状態で説明を行うこととする。
【００２２】
［各電気コネクタの構造について］
本発明にかかる基板接続用電気コネクタとしてのリセプタクルコネクタ１０及び相手コネクタとしてのプラグコネクタ２０は、細長状に延在する絶縁性部材からなる絶縁ハウジング（インシュレータ）１１及び２１をそれぞれ有している。それらの絶縁ハウジング１１及び２１は、プラスチック等の樹脂材を用いて例えばモールド成形されたものであるが、当該絶縁ハウジング１１及び２１の長手方向に沿って多数のコンタクト部材１２及び２２が、所定のピッチで多極状をなすように配列されている。
【００２３】
これらのコンタクト部材１２及び２２における多極状の配列方向である絶縁ハウジング１１及び２１の長手方向を、以下において「コネクタ長手方向」と呼び、その「コネクタ長手方向」及び「上下方向」に直交する方向を「コネクタ幅方向」と呼ぶこととする。
【００２４】
上述した各絶縁ハウジング１１及び２１は、例えば図６に示されているように、当該絶縁ハウジング１１及び２１の長手方向（コネクタ長手方向）に沿って延在する細長状の平板状部材からなる底面板１１ａ，２１ａを有しているとともに、それら底面板１１ａ，２１ａの「コネクタ幅方向」の両側端縁部から上方に突出する一対の長手側壁板１１ｂ，１１ｂ及び２１ｂ，２１ｂを有している。それら一対の長手側壁板１１ｂ，１１ｂ同士、及び一対の長手側壁板２１ｂ，２１ｂ同士は、それぞれ「コネクタ幅方向」に対面するように配置されているが、当該長手側壁板１１ｂ，１１ｂ及び２１ｂ，２１ｂおけるコネクタ長手方向の両端部同士は、それぞれ一対の短手側壁板１１ｃ，１１ｃ及び２１ｃ，２１ｃにより一体的に結ばれている。なお、図６において、仕切り板１１ｅを境として左側の絶縁ハウジング１１については符号１１ａ〜１１ｃの図示を省略しており、仕切り板１１ｅを境として右側の絶縁ハウジング２１については符号２１ａ，２１ｂの図示を省略している。
【００２５】
図７、および図１５に示される様に上述した各長手側壁板１１ｂ，２１ｂ及び短手側壁板１１ｃ，２１ｃは、平面略長方形状をなす底面板１１ａ，２１ａの外端縁から上方に立ち上がるように形成されており、それらの長手側壁板１１ｂ，２１ｂ及び短手側壁板１１ｃ，２１ｃによって平面略長方形状をなすコネクタ内方空間が形成されている。
【００２６】
一方、コンタクト部材１２及び２２は、上述したようにコネクタ長手方向に多極状をなすように配列されているが、より具体的には、図１１に示される様にリセプタクルコネクタ１０の絶縁ハウジング１１の長手側壁板１１ｂ，１１ｂには、一定のピッチで凹設されたコンタクト取付溝１１ｄ，１１ｄが凹設されており、それらの各コンタクト取付溝１１ｄに対して、各コンタクト部材１２が上方側から差し込まれるようにして装着されている。また、プラグコネクタ２０の絶縁ハウジング２１の長手側壁板２１ｂ，２１ｂに対しては、図１５に示される様にコンタクト部材２２，２２が埋設状態で装着されている。
【００２７】
これらのコンタクト部材１２及び２２は、各々が２列の電極列を形成するように「コネクタ幅方向」において対称的に向かい合う配置関係になされており、当該コンタクト部材１２及び２２の各々により形成された２列の電極列が、「コネクタ長手方向」に沿って略平行に延在する状態で並設されている。このようなコンタクト部材１２及び２２の詳細な構成を次に説明する。
【００２８】
[リセプタクルコネクタのコンタクト部材について]
まず、リセプタクルコネクタ１０側のコンタクト部材１２を、より具体的に説明すると、特に図６に示すように、当該コンタクト部材１２が取り付けられている絶縁ハウジング１１には、上述した２列の電極列同士の間部分、すなわち一対の長手側壁板１１ｂ，１１ｂ同士の間部分における「コネクタ幅方向」の略中央位置（以下、「コネクタ中心位置」と呼ぶ。）に、上述した底面板１１ａから上方に突出する仕切り板１１ｅが、「コネクタ長手方向」に沿って延在するように設けられている。そして、その仕切り板１１ｅと、当該仕切り板１１ｅの「コネクタ幅方向」の両側に配置された長手側壁板１１ｂ，１１ｂとの間に設けられ、上方に開口するように形成されている空間部分に、両側の電極列を構成している一対のコンタクト部材１２，１２が、コネクタ幅方向に対称的な形状をなすように向かい合って収容されている。なお、図６において、仕切り板１１ｅを境として右側のコンタクト部材１２については符号１２ａ〜１２ｄの図示を省略している。
【００２９】
これらの各コンタクト部材１２は、上述した長手側壁板１１ｂ、底面板１１ａ及び仕切り板１１ｅの内壁面に沿って湾曲状に延在するように折り曲げ形成されているが、長手側壁板１１ｂの内壁面に上下方向に延在するように凹設されたコンタクト取付溝１１ｄに対して、当該コンタクト部材１２の固定基部１２ａが、圧入によって上下方向に延在する状態で取り付けられている。また、その固定基部１２ａの上方側部分には、「コネクタ中心位置」側に向かって側面略「く」字状に張り出す外方側接点部１２ｂが、上方に延出するように設けられている。
【００３０】
さらに、上述した外方側接点部１２ｂの上端部分は、「コネクタ幅方向」の外方側に向かって折れ曲がって略水平に延びており、その水平延出部分が、リセ側回路基板Ｐ１の主面に対面する基板接続部１２ｃになされている。この基板接続部１２ｃは、後述するようにリセ側回路基板Ｐ１の主面上に形成された信号用導電路のランド部Ｐ１ｂに対して半田付けされる。
【００３１】
また、上述した固定基部１２ａの下方側部分は、絶縁ハウジング１１の底面板１１ａに沿って「コネクタ中心位置」に向かって折れ曲がって略水平に延出しており、その延出側部分が、仕切り板１１ｅの内壁面に沿って上方に延びて、さらに折返して内方側接点部１２ｄになされている。その内方側接点部１２ｄは、片持ちの弾性バネ状部分から形成されており、当該内方側接点部１２ｄの上端部分が、上述した外方側接点部１２ｂに向かって側面略「Ｕ」字状をなして張り出すように折り曲げ形成されている。
【００３２】
すなわち、上述した内方側接点部１２ｄは、外方側接点部１２ｂに対して「コネクタ幅方向」に対向する配置関係になされており、これらの内方側接点部１２ｄと外方側接点部１２ｂとの間に、上方に向かって開口する嵌合凹部が形成されている。そして、その嵌合凹部の内方側領域に、後述するプラグコネクタ２０のコンタクト部材２２の一部である嵌合凸部２２ａが挿入される構成になされており、当該コンタクト部材２２の嵌合凸部２２ａに対して、上述したコンタクト部材１２の内方側接点部１２ｄ及び外方側接点部１２ｂが、「コネクタ幅方向」の両側から挟むようにして弾性的に接触する構成になされている。
【００３３】
[プラグコネクタのコンタクト部材について]
これに対して、プラグコネクタ（相手コネクタ）２０のコンタクト部材２２が取り付けられている絶縁ハウジング２１においては、図１５に示される様に上述した２列の電極列同士の間部分、すなわち底面板２１ａと、その底面板２１ａから立ち上がる一対の長手側壁板２１ｂ，２１ｂとで囲まれた部分が、「コネクタ長手方向」に延在する凹状空間になされている。そして、その絶縁ハウジング２１における「コネクタ幅方向」の両側端縁部に設けられた長手側壁板２１ｂ，２１ｂに一対のコンタクト部材２２，２２が、「コネクタ幅方向」に対称的な形状をなすように向かい合った状態で設けられている。それらの各コンタクト部材２２は、例えばインサート成形によって、長手側壁板２１ｂに対して上方側から巻き付くようにして配置されており、長手側壁板２１ｂの外側壁面から上端頂部を通って内側壁面に至る部位を、横断面略逆Ｕ字状をなして覆う嵌合凸部２２ａを備えている。
【００３４】
このコンタクト部材２２の嵌合凸部２２ａは、長手側壁板２１ｂの内側壁面に沿って下方側に向かって延出しているが、その嵌合凸部２２ａの内方側における下端部分は、図６に示される様に絶縁ハウジング２１の底面板２１ａの内部を下方に向かって貫通しており、その後に「コネクタ幅方向」の外方側に向かって略直角に折れ曲がって略水平に延びており、その水平方向の延出端部分が、プラグ側回路基板Ｐ２の主面に対面する基板接続部２２ｂになされている。この基板接続部２２ｂは、後述するようにプラグ側回路基板Ｐ２の主面に形成された信号伝送用導電路のランド部Ｐ２ａに対して半田付けされる。
【００３５】
このプラグコネクタ（相手コネクタ）２０のコンタクト部材２２に設けられた嵌合凸部２２ａは、両電気コネクタ１０，２０同士が嵌合されたときに、上述したリセプタクルコネクタ１０のコンタクト部材１２の嵌合凹部の内方側に挿入される構成になされている。そして、その両電気コネクタ１０，２０の嵌合時においては、プラグコネクタ２０のコンタクト部材２２に設けられた嵌合凸部２２ａが、リセプタクルコネクタ１０のコンタクト部材１２に設けられた内方側接点部１２ｄと外方側接点部１２ｂとの間の嵌合凹部に嵌り込むように押し込まれ（図６参照）、それによってリセプタクルコネクタ１０のコンタクト部材１２の内方側接点部１２ｄ及び外方側接点部１２ｂが、プラグコネクタ２０のコンタクト部材２２の嵌合凸部２２ａに設けられた接点部に対して「コネクタ幅方向」の両側から弾性的に押圧接触し、それによって両コンタクト部材１２，２２同士の電気的な接続が行われるようになっている。
【００３６】
なお、前述したようにプラグコネクタ（相手コネクタ）２０がリセプタクルコネクタ１０に嵌合されるにあっては、図１３、および図１９等に示される様にプラグコネクタ２０の「コネクタ長手方向」の両端部分に圧入により固定された一対のプラグ側固定金具２３，２３が、リセプタクルコネクタ１０の絶縁ハウジング１１の上面に沿って滑動する構成になされている。すなわち、それらの各プラグ側固定金具２３は、絶縁ハウジング２１の両端部分を上方側から覆うように装着されており、リセプタクルコネクタ１０に対して、プラグコネクタ２０の嵌合が行われる際に、上述したプラグ側固定金具２３の一部が、リセプタクルコネクタ１０の絶縁ハウジング１１の上面に上方側から接触するように配置される関係になされており、リセプタクルコネクタ１０の上面に沿って、プラグコネクタ２０のプラグ側固定金具２３が本来の嵌合位置まで滑動した際に位置決めが行われる構成になされている。これら各プラグ側固定金具２３は、プラグ側回路基板Ｐ２の主面に半田付けされる一対の基板接続部２３ａ，２３ａをそれぞれ備えている。
【００３７】
[リセシェル部材について]
ここで、上述したリセプタクルコネクタ１０の絶縁ハウジング１１には、図１１に示される様に当該絶縁ハウジング１１の外壁面のうちの上方部分を除く側面部分から底面部分を覆うリセシェル部材１３が装着されている。このリセシェル部材１３は、金属製の板状部材から形成されており、前述した絶縁ハウジング１１の底面板１１ａから長手側壁板１１ｂ及び短手側壁板１１ｃの外壁面に沿った状態で、コンタクト部材１２の多極状の配列方向である「コネクタ長手方向」に沿って延在するように配置されている。そして、その「コネクタ長手方向」において当該リセシェル部材１３には、上述したコンタクト部材１２が配置されている領域に中央部シェル体１３ａが配置されているとともに、その中央部シェル体１３ａに対して「コネクタ長手方向」の両側外方領域に、一対の端部シェル体１３ｂ，１３ｂが一体的に連結されている。
【００３８】
このようなリセシェル部材１３の「コネクタ長手方向」の中央部分を構成している中央部シェル体１３ａは、コネクタ長手方向に直交する「コネクタ幅方向」に沿った横断面形状が、略コの字状をなして延在しているが、絶縁ハウジング１１の外壁面に対しては、圧入又はインサート成形によって密着した状態で、当該絶縁ハウジング１１の長手側壁板１１ｂを挟んでコンタクト部材１２と対向するように配置されている。すなわち、この中央部シェル体１３ａは、直接的には絶縁ハウジング１１の長手側壁板１１ｂの外壁面を補強する構成になされているが、当該絶縁ハウジング１１の長手側壁板１１ｂの内壁面に取り付けられたコンタクト部材１２の保持強度についても補強する構成になされている。
【００３９】
より具体的には、図６に示される様に絶縁ハウジング１１の長手側壁板１１ｂの内壁面には、コンタクト取付溝１１ｄを介してコンタクト部材１２の固定基部１２ａが取り付けられているが、その固定基部１２ａが位置する長手側壁板１１ｂの内壁面と肉厚方向に対向する外壁面に対して、上述した中央部シェル体１３ａが密着状態で配置されている。従って、相手コネクタであるプラグコネクタ２０が嵌合又は抜去される際にコンタクト部材１２が大きく弾性変位した場合においても、絶縁ハウジング１１の過度な変位がリセシェル部材１３によって良好に防止され、コンタクト部材１２も良好に保持されるようになっている。
【００４０】
また、上述したように中央部シェル体１３ａの「コネクタ長手方向」の両側外方に配置されている一対の端部シェル体１３ｂ，１３ｂの各々は、絶縁ハウジング１１の片方側の端部を構成している一対の長手側壁板１１ｂ，１１ｂと短手側壁板１１ｃとを外方側から覆う状態に配置されている。それらの各片側の端部シェル体１３ｂには、三体のハウジング固定部１３ｂ１，１３ｂ１，１３ｂ１がそれぞれ設けられているが、そのうちの一対（二体）のハウジング固定部１３ｂ１，１３ｂ１は、「コネクタ幅方向」に対向するように配置されており、絶縁ハウジング１１の長手側壁板１１ｂ，１１ｂに凹設された一対の固定溝内に圧入されることで固定状態になされている。また、残り一体のハウジング固定部１３ｂ１は、絶縁ハウジング１１の短手側壁板１１ｃに凹設された固定溝内に圧入により固定状態になされている。
【００４１】
上述した三体のハウジング固定部１３ｂ１，１３ｂ１，１３ｂ１の各々は、絶縁ハウジング１１の外壁面に沿って上下方向に延在しているが、それら各々のハウジング固定部１３ｂ１の上端縁部には、略直角外方に折れ曲がって水平方向に延出する基板接続部１３ｂ２が一体的に設けられている。これらの各板接続部１３ｂ２は、後述するようにしてリセ側回路基板Ｐ１の主面上に形成された接地用導電路のランド部Ｐ１ｃに対して半田付けにより固定される。
【００４２】
このような構成を有する各々の端部シェル体１３ｂは、上述したように「コネクタ長手方向」の両端部分に一対配置されているが、双方の端部シェル体１３ｂ，１３ｂは、コンタクト部材１２の多極状の配列方向である「コネクタ長手方向」において対称的に対向する配置関係になされている。すなわち、リセプタクルコネクタ１０の全体を見たときには、双方の端部シェル体１３ｂ，１３ｂに設けられた一対（２体）の基板接続部１３ｂ２，１３ｂ２が、「コネクタ長手方向」に対称的に対向する配置関係になされている。また、コンタクト部材１２の多極状の配列方向と直交する方向である「コネクタ幅方向」に対称的に配置された一組の基板接続部１３ｂ２，１３ｂ２は、リセプタクルコネクタ１０の全体を見たときに、計二組にわたって設けられている。このようにしてリセシェル部材１３の外周部の全体を基板接続部１３ｂ２が取り囲むように配置されていることから、リセシェル部材１３の外周部の全体が基板接続部１３ｂ２によりリセ側回路基板Ｐ１に固定状態になされ、リセシェル部材１３の補強機能が高められるようになっている。
【００４３】
［コネクタ収容穴について］
一方、前述したリセ側回路基板Ｐ１には、当該リセ側回路基板Ｐ１の主面を厚さ方向に貫通するコネクタ収容穴Ｐ１ａが設けられている。このコネクタ収容穴Ｐ１ａは、平面略矩形状（長方形形状）の開口を有しているが、当該コネクタ収容穴Ｐ１ａの開口形状は、上述したリセシェル部材１３における基板接続部１３ｂ２を除いた部位の外周よりも一回り大きい投影面積を備えている。そして、そのコネクタ収容穴Ｐ１ａの開口を通して上方側から、リセシェル部材１３を含む絶縁ハウジング１１が落し込み状態で当該コネクタ収容穴Ｐ１ａの内部に挿入される構成になされている。
【００４４】
このようにコネクタ収容穴Ｐ１ａの内部にリセプタクルコネクタ１０のリセシェル部材１３が挿入された状態にあっては、当該リセシェル部材１３の基板接続部１３ｂ２及びコンタクト部材１２の基板接続部１２ｃが、コネクタ収容穴Ｐ１ａの開口を形成している上方側の開口端縁部分に当接する関係になされている。そして、特に図１２〜図１４に示されているように、上述したリセ側回路基板Ｐ１には、コネクタ収容穴Ｐ１ａの開口端縁部分に、コンタクト部材１２の基板接続部１２ｃが半田付けされる複数の信号用導電路のランド部Ｐ１ｂが多極状をなして並列すように形成されている。また、それらの信号用導電路のランド部Ｐ１ｂの「コネクタ長手方向」の両側外方部分には、リセシェル部材１３の基板接続部１３ｂ２が半田付けされる接地用導電路のランド部Ｐ１ｃが形成されている。
【００４５】
一方、図１９及び図２０に示されているように、前述したプラグ側回路基板Ｐ２の実装表面には、プラグコネクタ２０のコンタクト部材２２に設けられた基板接続部２２ｂが半田付けされる複数の信号用導電路のランド部Ｐ２ａが多極状をなすように形成されているとともに、それらの信号用導電路のランド部Ｐ２ａの「コネクタ長手方向」の両側外方部分には、プラグ側固定金具２３の基板接続部２３ａが半田付けされる複数の接地用導電路のランド部Ｐ２ｂが形成されている。
【００４６】
このような構成を有する本実施形態によれば、リセ側回路基板Ｐ１に対してリセプタクルコネクタ１０の実装が行われるにあたって、リセ側回路基板Ｐ１に設けられたコネクタ収容穴Ｐ１ａの内部に、絶縁ハウジング１１を含むリセシェル部材１３が落し込み状態で挿入され、そのリセシェル部材１３及び絶縁ハウジング１１の落し込み量に相当する分だけ、リセプタクルコネクタ１０のリセ側回路基板Ｐ１からの高さが低減されることとなり、リセ側回路基板Ｐ１とリセプタクルコネクタ１０とを含む全体の低背化が行われる。
【００４７】
加えて、絶縁ハウジング１１に装着された金属製のリセシェル部材１３の補強機能によって、絶縁ハウジング１１の剛性が強化されることから、相手コネクタであるプラグコネクタ２０が嵌合・抜去される際における絶縁ハウジング１１の変形や破損が低減されるとともに、その絶縁ハウジング１１に保持されているコンタクト部材１２の変形や破損も低減される。
【００４８】
以上、本発明者によってなされた発明を実施形態に基づき具体的に説明したが、本実施形態は上述した実施形態に限定されるものではなく、その要旨を逸脱しない範囲で種々変形可能であるというのはいうまでもない。
【００４９】
例えば、上述した実施形態におけるコンタクト部材１２，２２同士の凹凸嵌合関係は、リセプタクルコネクタ１０とプラグコネクタ２０との間において逆の関係に配置することが可能である。
【００５０】
また、上述した実施形態におけるリセ側回路基板Ｐ１には、その主面を厚さ方向に貫通するコネクタ収容穴Ｐ１ａが設けられているが、これに限られない。リセ側回路基板Ｐ１には、その主面から厚さ方向に形成された凹み状の（貫通していない）コネクタ収容穴Ｐ１ａが設けられてもよい。
【産業上の利用可能性】
【００５１】
以上のように本発明は、各種電子・電気機器に使用される多種多様な基板接続用電気コネクタ装置に対して広く適用することが可能である。
【符号の説明】
【００５２】
１０  リセプタクルコネクタ（本発明にかかる電気コネクタ）
１１  絶縁ハウジング
１１ａ  底面板
１１ｂ  長手側壁板
１１ｃ  短手側壁板
１１ｄ  コンタクト取付溝
１１ｅ  仕切り板
１２  コンタクト部材
１２ａ  固定基部
１２ｂ  外方側接点部
１２ｃ  基板接続部
１２ｄ  内方側接点部１３  リセシェル部材
１３ａ  中央部シェル体
１３ｂ  端部シェル体
１３ｂ１  ハウジング固定部
１３ｂ２  基板接続部
２０  プラグコネクタ（相手コネクタ）
２１  絶縁ハウジング
２１ａ  底面板
２１ｂ  長手側壁板
２１ｃ  短手側壁板
２２  コンタクト部材
２２ａ  嵌合凸部
２２ｂ  基板接続部
２３  プラグ側固定金具
２３ａ  基板接続部
Ｐ１  リセ側回路基板
Ｐ１ａ  コネクタ収容穴
Ｐ１ｂ  信号用導電路のランド部
Ｐ１ｃ  接地用導電路のランド部
Ｐ２  プラグ側回路基板
Ｐ２ａ  信号伝送用導電路のランド部
Ｐ２ｂ  接地用導電路のランド部
【図１】
2018073536.tif 000003
【図２】
2018073536.tif 000004
【図３】
2018073536.tif 000005
【図４】
2018073536.tif 000006
【図５】
2018073536.tif 000007
【図６】
2018073536.tif 000008
【図７】
2018073536.tif 000009
【図８】
2018073536.tif 000010
【図９】
2018073536.tif 000011
【図１０】
2018073536.tif 000012
【図１１】
2018073536.tif 000013
【図１２】
2018073536.tif 000014
【図１３】
2018073536.tif 000015
【図１４】
2018073536.tif 000016
【図１５】
2018073536.tif 000017
【図１６】
2018073536.tif 000018
【図１７】
2018073536.tif 000019
【図１８】
2018073536.tif 000020
【図１９】
2018073536.tif 000021
【図２０】
2018073536.tif 000022